(57)【要約】【課題】装置固有の操作メニューを表示してもＤＶＤ固有のコンテンツ画面に含まれる操作キーの操作性が損なわれることがないＤＶＤ再生装置及びその画面表示方法を提供する。【解決手段】コンテンツ画面１２１と装置メニュー１２２とを同時に表示する際に、コンテンツ画面を元の画面よりも縮小するように、ＤＶＤ読み出し手段から出力された映像信号を画面縮小部で信号処理する。これにより、コンテンツ画面１２１と装置メニュー１２２とを同時に表示装置に表示しても、コンテンツ画面１２１と装置メニュー１２２とが重なることを回避できる。その結果、コンテンツ画面１２１に含まれるキー及び装置メニュー１２２に含まれるキーの全てを操作することが可能になる。【選択図】　図３
2004080276.tif 000002
【特許請求の範囲】
【請求項１】
ＤＶＤからコンテンツデータを読み出してコンテンツ画面の映像信号を出力するＤＶＤ読み出し手段と、
装置固有の操作メニューの映像信号を生成する装置メニュー生成手段と、
前記ＤＶＤ読み出し手段から前記コンテンツ画面の映像信号を入力し、前記コンテンツ画面を元の画面よりも縮小した画面となるように信号処理するコンテンツ画面縮小手段と、
前記コンテンツ画面と前記装置メニューとが重ならないように前記装置メニュー生成手段から出力された映像信号と前記コンテンツ画面縮小手段から出力された映像信号とを合成する映像信号合成手段と、
少なくとも前記ＤＶＤ読み出し手段及び前記装置メニュー生成手段を制御する制御手段と
を有することを特徴とするＤＶＤ再生装置。
【請求項２】
更に、表示装置の表示面に装着されて前記制御手段に電気的に接続されたタッチパネルを有することを特徴とする請求項１に記載のＤＶＤ再生装置。
【請求項３】
ＤＶＤから読み出したコンテンツ画面と装置固有の画面とを表示装置に同時に表示するＤＶＤ再生装置の画面表示方法において、
前記表示装置の表示領域を２つに分割し、一方の領域に前記コンテンツ画面を縮小して表示し、他方の領域に前記装置固有の画面を表示することを特徴とするＤＶＤ再生装置の画面表示方法。
【発明の詳細な説明】
【０００１】
【発明の属する技術分野】
本発明は、ＤＶＤ（Ｄｉｇｉｔａｌ　Ｖｅｒｓａｔｉｌｅ　Ｄｉｓｃ）から読み出したコンテンツの画面と、再生装置に固有の操作メニュー画面とを表示装置に同時に表示する機能を備えたＤＶＤ再生装置及びその画面表示方法に関する。
【０００２】
【従来の技術】
近年、ＤＶＤ再生装置が急速に普及しており、家庭でも映画を高画質かつ高音質で鑑賞することができるようになった。
【０００３】
ＤＶＤは、ビデオテープに比べて画質の劣化が少ないという利点がある。また、ＤＶＤでは、映画等のコンテンツがチャプター毎に分類されているので、所望のチャプターからすばやく再生を開始できるという利点もある。更に、ＤＶＤに記録されたコンテンツが対応していれば、音声や字幕の言語を変更したり、アングル（視点）を変更することも可能である。
【０００４】
図４は、ＤＶＤ再生装置の表示装置に表示された画面（チャプター選択画面）の例を示す図である。
【０００５】
１０１〜１０６はチャプターを選択するためのチャプターキーである。この例では、チャプターキー１０１〜１０６にはそれぞれチャプターの内容をイメージした画像が嵌め込まれている。また、チャプターキー１０１〜１０６の下にはそれぞれチャプターの名称が表示される。例えば、チャプターキー１０１を押下すると第１のチャプターから再生が開始され、チャプターキー１０５を押下すると第５のチャプターから再生が開始される。
【０００６】
１０７〜１１１は同一画面に表示されるチャプター群を選択するためのチャプター群選択キーである。この例ではチャプター群選択キー１０７に「１−６」と表示されており、このチャプター群選択キー１０７を押下すると、図４に示すように第１のチャプターから第６のチャプターまでのチャプター選択画面が表示される。また、チャプター群選択キー１０８を押下すると、第７のチャプターから第１２のチャプターまでのチャプター選択画面が表示される。
【０００７】
１１２は映画の再生を開始するときに押下する再生開始キーである。映画の再生を一時停止してチャプター選択画面を表示させた場合は、再生開始キー１１２を押下すると、一時停止した位置から再生を再開する。
【０００８】
１１３はメインメニュー画面を表示させるためのメインメニューキーである。メインメニュー画面では、ＤＶＤに記録されている複数のコンテンツ（例えば、映画本編、出演者紹介及びボーナス映像等）のうちから所望のコンテンツを選択することができる。１１４は映画のエンドクレジットにジャンプするエンドクレジットキーである。
【０００９】
本願明細書では、チャプター選択画面のようにＤＶＤから読み出した画面をコンテンツ画面という。コンテンツ画面は個々のＤＶＤに固有のものであり、ＤＶＤが異なればコンテンツ画面の構成も異なる。
【００１０】
ところで、近年、ＤＶＤの再生機能を備えた車載用ナビゲーション装置が開発されている。この種の車載用ナビゲーション装置では、装置固有の操作メニューを表示装置に表示させることにより操作性を向上させているものがある。例えば、複数のＤＶＤを収納可能なディスクチェンジャ−を備えた車載用ナビゲーション装置では、ディスク選択メニューを表示装置に表示して、任意のディスクを選択できるようにしている。
【００１１】
【発明が解決しようとする課題】
図５は、ディスクチェンジャーを備えたＤＶＤ再生装置（車載用ナビゲーション装置）の画面表示の一例を示す図である。このＤＶＤ再生装置では、図４に示すチャプター選択画面を表示しているときに所定の操作を行うと、装置固有の操作メニューを表示装置に表示する。
【００１２】
図５に示す装置固有の操作メニューは、ディスクチェンジャ−に装填された複数のＤＶＤのうちから所望のディスクを選択するときに使うディスク選択キー１１５〜１２０により構成されている。例えば、ディスク選択キー１１５を押下すると「ディスク１」に収録されているコンテンツの再生が開始され、ディスク選択キー１１７を押下すると「ディスク３」に収録されているコンテンツの再生が開始される。本願明細書では、ＤＶＤ再生装置に固有の画面（操作メニュー）を、装置メニューという。
【００１３】
従来のＤＶＤ再生装置では、図５に示すように、装置メニューはコンテンツ画面の一部に重なって表示されるので、コンテンツ画面の一部が装置メニューに隠れてしまう。図５の例では、コンテンツ画面のうちの再生開始キー１１２、メインメニューキー１１３及びエンドクレジットキー１１４が装置メニューに隠れている。従って、このままでは装置メニューに隠れている再生開始キー１１２、メインメニューキー１１３及びエンドクレジットキー１１４を操作することができず、所定の操作を行って装置メニューを消してからでなければこれらのキーを操作することができない。
【００１４】
このように、従来のＤＶＤ再生装置では、装置メニューを表示したときにコンテンツ画面の一部のキーが装置メニューに隠れて操作できなくなることがあり、コンテンツ画面に含まれる操作キーの操作性が十分ではない。
【００１５】
以上から、本発明の目的は、装置メニューを表示してもコンテンツ画面に含まれる操作キーの操作性が損なわれることがないＤＶＤ再生装置及びその画面表示方法を提供することである。
【００１６】
【課題を解決するための手段】
上記した課題は、ＤＶＤからコンテンツデータを読み出してコンテンツ画面の映像信号を出力するＤＶＤ読み出し手段と、装置固有の操作メニューの映像信号を生成する装置メニュー生成手段と、前記ＤＶＤ読み出し手段から前記コンテンツ画面の映像信号を入力し、前記コンテンツ画面を元の画面よりも縮小した画面となるように信号処理するコンテンツ画面縮小手段と、前記コンテンツ画面と前記装置メニューとが重ならないように前記装置メニュー生成手段から出力された映像信号と前記コンテンツ画面縮小手段から出力された映像信号とを合成する映像信号合成手段と、少なくとも前記ＤＶＤ読み出し手段及び前記装置メニュー生成手段を制御する制御手段とを有することを特徴とするＤＶＤ再生装置により解決する。
【００１７】
本発明においては、コンテンツ画面と装置メニューとを同時に表示する際に、画面縮小手段が、コンテンツ画面を元の画面よりも縮小するように、ＤＶＤ読み出し手段から出力された映像信号を信号処理する。これにより、コンテンツ画面と装置メニューとを同時に表示装置に表示しても、コンテンツ画面と装置メニューとが重なることを回避できる。その結果、コンテンツ画面に含まれるキー及び装置メニューに含まれるキーの全てを操作することが可能になる。
【００１８】
また、上記した課題は、ＤＶＤから読み出したコンテンツ画面と装置固有の画面とを表示装置に同時に表示するＤＶＤ再生装置の画面表示方法において、前記表示装置の表示領域を２つに分割し、一方の領域に前記コンテンツ画面を縮小して表示し、他方の領域に前記装置固有の画面を表示することを特徴とするＤＶＤ再生装置の画面表示方法により解決する。
【００１９】
本発明においては、表示装置の表示領域を２つに分割し、一方の領域にコンテンツ画面を縮小して表示し、他方の領域に装置固有の画面を表示するので、これらの画面が重なることなく表示される。従って、コンテンツ画面に含まれるキー及び装置固有の画面に含まれるキーの全てを操作することが可能になり、操作性が向上する。
【００２０】
【発明の実施の形態】
以下、本発明の実施の形態について、添付の図面を参照して説明する。
【００２１】
図１は本発明の実施の形態のＤＶＤ再生装置の構成を示すブロック図である。
【００２２】
４３は電源スイッチや種々の操作キーが設けられた操作部、５０は操作部４３からの信号に応じて後述の各部を制御するシステムコントローラである。
【００２３】
１０は再生位置にあるＤＶＤ（以下、単に「ディスク」ともいう）、１１は複数のＤＶＤを収納するＤＶＤチェンジャーである。ＤＶＤチェンジャー１１は、システムコントローラ５０からの信号に応じて所定のＤＶＤを再生位置に移動したり、再生位置にあるディスクをチェンジャー１１内の収納位置に戻すなどの動作を行う。
【００２４】
１２はディスク１０を回転させるスピンドルモータである。１４はディスク１０にレーザ光を照射し、その反射光によってディスク１０に記録されているデータを読み出してＲＦ信号を出力する光ピックアップである。１６は光ピックアップ１４が搭載されたスレッド（図示せず）をディスク１０の半径方向に移動する送りモータである。１８は送りモータ１６の駆動制御、光ピックアップ１４のトラッキング制御及びフォーカス制御、並びにスピンドルモータ１２の回転制御をするサーボ制御部である。
【００２５】
２２は光ピックアップ１４から出力されたＲＦ信号を増幅して次段に伝達するＲＦアンプである。また、ＲＦアンプ２２は、ＲＦ信号からフォーカスサーチ及びトラッキング等の制御信号を分離して、これらの制御信号をサーボ制御部１８に伝達する。２４はデジタル信号処理部であり、ＲＦアンプ２２から出力されたＲＦ信号をデジタル信号処理し、ＲＦ信号に含まれる制御信号の一部を分離する。分離された制御信号はサーボ制御部１８及びシステムコントローラ５０に送られる。
【００２６】
２６は、デジタル信号処理部２４から出力された信号をオーディオビットストリーム及びピクチャビットストリームに分離し、それらのオーディオビットストリーム及びピクチャビットストリームを復号化処理してデジタルオーディオ信号及びデジタル映像信号を出力するデコーダである。
【００２７】
２８はデコーダ２６から出力されたデジタルオーディオ信号をアナログオーディオ信号（音声信号）に変換するＤ／Ａ（デジタル／アナログ）変換器である。このＤ／Ａ変換器２８から出力されたアナログオーディオ信号は、アンプ（図示せず）を介してスピーカー（図示せず）に送られる。
【００２８】
３０は映像信号切替部、３１はビデオエンコーダ、３２はコンテンツ画面縮小部である。映像信号切替部３０は、システムコントローラ５０からの信号に応じて、デコーダ２６から出力されたデジタル映像信号をコンテンツ画面縮小部３２及びビデオエンコーダ３１のいずれか一方に伝達する。コンテンツ画面縮小部３２は、映像信号切替部３０を介して入力された映像信号により描画されるコンテンツ画面を、元の画面に対し一定の割合で縮小された画面となるように信号処理する。
【００２９】
３３は装置メニュー生成部である。この装置メニュー生成部３３は、システムコントローラ５０からの信号に応じて、装置メニューを描画するための映像信号を出力する。
【００３０】
３４は、コンテンツ画面縮小部３２から出力された映像信号と装置メニュー生成部３３から出力された映像信号とを合成する映像信号合成部である。この映像信号合成部３４は、表示領域の下側の部分に装置メニュー生成部３３から出力された映像信号による装置メニュー画面が表示され、残りの部分にコンテンツ画面縮小部３２から出力された映像信号によるコンテンツ画面が表示されるように、これらの映像信号を合成する。
【００３１】
ビデオエンコーダ３１は、映像信号切替部３０を介してデコーダ３６から出力されたデジタル映像信号、又は映像信号合成部３４から出力されたデジタル映像信号を入力し、アナログの映像信号に変換して出力する。
【００３２】
４０はＣＲＴ（Ｃａｔｈｏｄｅ　Ｒａｙ　Ｔｕｂｅ）又は液晶パネル等により構成される表示装置である。この表示装置４０は、ビデオエンコーダ３１から映像信号を入力し、映像信号に応じた映像を表示する。４１は表示装置４０の前面に配置されたタッチパネルである。ユーザの指等がタッチパネル４１に触れると、接触位置に応じた信号がシステムコントローラ５０に送られる。
【００３３】
以下、上述したＤＶＤ装置の動作について、図２に示すフローチャートを参照して説明する。
【００３４】
ユーザが操作部４３を操作してＤＶＤの再生開始を指示すると、ステップＳ１１に移行し、システムコントローラ５０は、映像信号切替部３０を制御してデコーダ２６からビデオエンコーダ３１に直接映像信号が伝達されるようにする。これにより、表示装置４０にはディスク１０から読み出された映像のみが表示される。
【００３５】
この状態は、基本的に従来のＤＶＤ再生装置と同じであり、例えばチャプター選択画面は図４のように表示される。
【００３６】
ステップＳ１２において、システムコントローラ５０は、ユーザがタッチパネル４１に接触したか否かを監視する。タッチパネル４１からの信号に基づいてユーザがタッチパネル４１に接触したと判定したときは、ステップＳ１３に移行する。
【００３７】
ステップＳ１３において、システムコントローラ５０は、タッチパネル４１からの信号によりユーザが接触した位置を検出し、キー部に接触したのか、又はキー部以外の部分に接触したのかを判定する。キー部に接触したと判定したときは、ステップＳ１９に移行し、押下されたキーに対応する処理を実行する。例えば、表示装置に図４に示すチャプターメニューが表示されているときに、ユーザがチャプターキー１０２を押下すると、システムコントローラ５０はサーボ制御部１８を制御して光ピックアップ１４を移動させ、２番目のチャプターの再生を開始する。
【００３８】
ステップＳ２０では、ＤＶＤの再生を終了するか否かを判定する。ユーザにより再生終了が指示された場合は処理を終了し、それ以外の場合はステップＳ１１に戻って、ディスク１０から読み出したコンテンツの表示を継続する。
【００３９】
ステップＳ１３でユーザがキー部以外の部分に接触したと判定した場合は、ステップＳ１４に移行し、システムコントローラ５０は、映像信号切替部３０を制御して、コンテンツ画面縮小部３２に映像信号が入力されるようにする。また、システムコントローラ５０は装置メニュー生成部３３を制御して、装置メニュー生成部３３から装置メニュー画面の映像信号を出力させる。
【００４０】
これにより、ステップＳ１６に移行して、表示装置４０には、例えば図３に示すように、コンテンツ画面１２１と装置メニュー１２２とが同時に表示される。
この場合に、装置メニュー１２２は画面の下側に表示され、コンテンツ画面１２１は装置メニュー１２２の上側に縮小されて表示されるので、コンテンツ画面１２１は装置メニュー１２２に隠れる部分がなく、コンテンツ画面１２１に含まれる全てのキー１０１〜１１４と、装置メニュー１２１に含まれる全てのキー１１５〜１２０が押下可能である。
【００４１】
例えば、１画面の下側１／５の領域に装置メニュー１２２を表示するものとする。この場合、コンテンツ画面１２１を元の大きさの４／５に縮小すれば、コンテンツ画面１２１と装置メニュー１２２とを同時に表示しても、これら２つの画面が重なることを防止できる。このように、コンテンツ画面１２１を表示する領域を縮小すると、コンテンツ画面１２１の側方に非表示領域１２３が発生するが、本実施の形態ではこの領域１２３を黒表示として立たないようにしている。
【００４２】
その後、ステップＳ１６において、システムコントローラ５０は、ユーザがタッチパネル４１に接触したか否かを監視する。タッチパネル４１からの信号に基づいてユーザがタッチパネル４１に接触したと判定したときは、ステップＳ１７に移行する。
【００４３】
ステップＳ１７では、タッチパネル４１からの信号によりユーザが接触した位置を検出し、キー部に接触したのか、キー部以外の部分に接触したのかを判定する。キー部に接触したと判定したときは、ステップＳ２１に移行し、押下されたキーに対応する処理を実行する。例えば、ユーザがチャプターキー１０２を押下したと判定すると、システムコントローラ５０はサーボ制御部１８を制御して光ピックアップ１４を移動させ、２番目のチャプターの再生を開始する。また、ユーザがディスク選択キー１１６を押下したと判定すると、システムコントローラ５０はサーボ制御部１８及びＤＶＤチェンジャー１１を制御して、現在再生位置にあるディスク１０をＤＶＤチェンジャー１１内に戻し、２番目のディスクを再生位置に移動させる。その後、２番目のディスクの再生を開始する。
【００４４】
ステップＳ２２では、ＤＶＤの再生を終了するか否かを判定する。ユーザにより再生終了が指示された場合はＤＶＤの再生処理を終了し、それ以外の場合はステップＳ１５に戻って、コンテンツ映像の表示を継続する。
【００４５】
ステップＳ１７でユーザがキー部以外の部分に接触したと判定した場合は、ステップＳ１８に移行し、システムコントローラ５０は映像信号切替部３０を制御する。これにより、ステップＳ１１に移行して、表示装置４０には、例えば図４に示すように、ディスク１０から読み出したコンテンツの映像のみが表示される。
【００４６】
上述したように、本実施の形態においては、ＤＶＤから読み出したコンテンツ画面を縮小するので、コンテンツ画面が装置メニューと重ならない。従って、ユーザは、画面の切替等の操作を行わなくても、コンテンツ画面に含まれる全てのキーと、装置メニューに含まれる全てのキーとを操作することができる。これにより、コンテンツ画面と装置メニューとを同時に表示したときの操作性が向上するという効果が得られる。
【００４７】
なお、上記の実施の形態ではタッチパネルによりコンテンツ画面及び装置メニューに含まれるキーを操作する場合について説明したが、専用のリモコン送信機により画面上に表示されたキーを操作するようにしてもよい。
【００４８】
また、上記の実施の形態では装置メニューがＤＶＤチェンジャー１１の操作に使用するディスク選択キー１１５〜１２０により構成されている場合について説明したが、本発明において装置メニューはこれに限定されるものではない。
【００４９】
【発明の効果】
以上説明したように、本発明のＤＶＤ再生装置によれば、コンテンツ画面を元の画面よりも縮小するようにＤＶＤ読み出し手段から出力された映像信号を信号処理するコンテンツ画面縮小手段を有しているので、コンテンツ画面と装置メニューとを同時に表示装置に表示しても、コンテンツ画面と装置メニューとが重なることを回避できる。その結果、コンテンツ画面に含まれるキー及び装置メニューに含まれるキーの全てを操作することが可能になり、操作性が向上する。
【００５０】
また、本発明のＤＶＤ再生装置の画面表示方法によれば、表示装置の表示領域を２つに分割し、一方の領域にコンテンツ画面を縮小して表示し、他方の領域に装置固有の画面を表示するので、これらの画面が重なることなく表示される。従って、コンテンツ画面に含まれるキー及び装置固有の画面に含まれるキーの全てを操作することが可能になり、操作性が向上する。
【図面の簡単な説明】
【図１】図１は、本発明の実施の形態のＤＶＤ再生装置の構成を示すブロック図である。
【図２】図２は、本発明の実施の形態のＤＶＤ再生装置の動作を示すフローチャートである。
【図３】図３は、本発明の実施の形態のＤＶＤ再生装置の画面表示例を示す図である。
【図４】図４は、表示装置の全面にチャプター選択画面を表示した例を示す図である。
【図５】図５は、従来のＤＶＤ再生装置において、コンテンツ画面と装置メニューとを同時に表示装置に表示させたときの画面表示例を示す図である。
【符号の説明】
１０…ＤＶＤ、
１１…ＤＶＤチェンジャー、
１２…スピンドルモータ、
１４…光ピックアップ、
１６…送りモータ、
１８…サーボ制御部、
２２…ＲＦアンプ、
２４…デジタル信号処理部、
２６…デコーダ、
２８…Ｄ／Ａ変換器、
３０…映像信号切替部、
３１…ビデオエンコーダ、
３２…コンテンツ画面縮小部、
３３…装置メニュー生成部、
３４…映像信号合成部、
４０…表示装置、
４１…タッチパネル、
４３…操作部、
５０…システムコントローラ、
１０１〜１０６…チャプターキー、
１０７〜１１１…チャプター群選択キー、
１１２…再生開始キー、
１１３…メインメニューキー、
１１４…エンドクレジットキー、
１１５〜１２０…ディスク交換キー、
１２１…コンテンツ画面、
１２２…装置メニュー、
１２３…非表示領域。
【図１】
2004080276.tif 000003
【図２】
2004080276.tif 000004
【図３】
2004080276.tif 000005
【図４】
2004080276.tif 000006
【図５】
2004080276.tif 000007